(57)【要約】【課題】外部電源から住宅への給電を確実に実施可能にすることを目的とする。【解決手段】ケーブル３４の接続及び切替開閉盤２４が正常であることがＨＥＭＳ１２によって確認された場合に、ＨＥＭＳ１２が外部電源１９の通電開始を制御する。具体的には、ＨＥＭＳ１２が外部電源接続器２０に放電許可信号を出力することにより、通電スイッチ２０Ａをオンして外部電源１８の通電を開始する。【選択図】図１
2015136206.tif 000002
【特許請求の範囲】
【請求項１】
外部電源から電力を受電し、外部からの指示により通電を開始して受電する受電手段と、
前記外部電源と前記受電手段との接続状態を検出する接続検出手段と、
住宅への電力の供給源を系統電源または前記外部電源に切り替える切替手段の状態を検出する状態検出手段と、
前記外部電源と前記受電手段とが接続されたことが前記接続検出手段によって検出され、かつ前記切替手段の状態が正常であることが前記状態検出手段によって検出された場合に、前記受電手段の通電を開始して前記外部電源からの電力供給を開始するように、前記受電手段を制御する制御手段と、
を備えた給電システム。
【請求項２】
外部からの指示により通電を開始する外部電源から電力を受電する受電手段と、
前記外部電源と前記受電手段との接続状態を検出する接続検出手段と、
住宅への電力の供給源を系統電源または前記外部電源に切り替える切替手段の状態を検出する状態検出手段と、
前記外部電源と前記受電手段とが接続されたことが前記接続検出手段によって検出され、かつ前記切替手段の状態が正常であることが前記状態検出手段によって検出された場合に、前記外部電源からの電力供給を開始するように、前記外部電源を制御する制御手段と、
を備えた給電システム。
【請求項３】
外部からの指示により通電を開始する外部電源から電力を受電する受電手段と、
前記外部電源と前記受電手段との接続状態を検出する接続検出手段と、
住宅への電力の供給源を系統電源または前記外部電源に切り替える切替手段と、
前記切替手段の状態を検出する状態検出手段と、
前記外部電源と前記受電手段とが接続されたことが前記接続検出手段によって検出され、かつ前記切替手段の状態が正常であることが前記状態検出手段によって検出された場合に、前記外部電源からの電力供給を開始するように前記外部電源を制御すると共に、住宅への電力の供給源を前記外部電源に切り替えるように前記切替手段を制御する制御手段と、
を備えた給電システム。
【請求項４】
停電状態を検出する停電検出手段と、前記停電検出手段によって停電状態が検出された場合に、住宅へ供給する電力の供給源を前記外部電源へ切り替える切替手順を表示する表示手段と、を更に備えた請求項１〜３の何れか１項に記載の給電システム。
【請求項５】
前記表示手段は、前記接続検出手段及び前記状態検出手段の各々の検出結果に基づいて前記切替手順を順次切り替えて表示する請求項４に記載の給電システム。
【請求項６】
停電状態及び停電状態からの復旧を表す復電状態を検出する停電検出手段を更に備え、
前記停電検出手段によって停電状態が検出された場合に、前記制御手段による制御を開始し、前記停電検出手段によって前記復電状態が検出された場合に、前記制御手段が、前記受電手段の通電を停止するように前記受電手段を更に制御する請求項１に記載の給電システム。
【請求項７】
停電状態及び停電状態からの復旧を表す復電状態を検出する停電検出手段を更に備え、
前記停電検出手段によって停電状態が検出された場合に、前記制御手段による制御を開始し、前記停電検出手段によって前記復電状態が検出された場合に、前記制御手段が、前記外部電源からの電力供給を停止するように前記外部電源を更に制御する請求項２に記載の給電システム。
【請求項８】
停電状態及び停電状態からの復旧を表す復電状態を検出する停電検出手段を更に備え、
前記停電検出手段によって停電状態が検出された場合に、前記制御手段による制御を開始し、前記停電検出手段によって前記復電状態が検出された場合に、前記制御手段が、住宅への電力の供給源を前記系統電源に切り替えるように前記切替手段を更に制御すると共に、前記外部電源からの電力供給を停止するように前記外部電源を更に制御する請求項３に記載の給電システム。
【発明の詳細な説明】
【技術分野】
【０００１】
本発明は、住宅へ電力を供給する給電システムに関する。
【背景技術】
【０００２】
住宅で使用する電源として、系統電源以外の蓄電池等の電源を使用する技術が、普及し始めている。系統電源以外の電源を使用する技術の一例としては、ハイブリッド自動車や電気自動車等に搭載された蓄電池を外部電源として使用したり、発電機や他のバッテリ等を外部電源として使用する技術が知られている。
【０００３】
例えば、特許文献１には、住宅側に外部の系統電力を家庭内負荷に供給する電力配線に接続した充放電器と全体制御を行うメインコントローラとを備え、該充放電器を介して、電気自動車に搭載されたバッテリと住宅側の間で相互に電力伝達可能とした電力マネジメントシステムにおいて、バッテリの状態を監視し充放電を管理するバッテリコントローラと、前記充放電器とバッテリの接続を検出する手段と、電気自動車の通常使用に対応する前記バッテリの確保電力量を求める確保電力量決定手段とを有し、前記メインコントローラが、前記バッテリから住宅側へ電力を供給する際、少なくも系統電力が正常の間は、供給電力量を前記バッテリの残容量から前記確保電力量を減じた量に制限する電力マネジメントシステムが提案されている。
【先行技術文献】
【特許文献】
【０００４】
【特許文献１】特開２００１−８３８０号公報
【発明の概要】
【発明が解決しようとする課題】
【０００５】
しかしながら、特許文献１に記載の技術では、ケーブルの接続を検知するようにしているが、非常時に外部電源から住宅に給電する場合には、ケーブルの接続だけではなく、系統電源から外部電源への切替の操作等も必要となるが、慣れていないと必要な操作が完了できない。必要な操作が完了できないと、外部電源から住宅に正しく給電できない場合があるため、改善の余地がある。
【０００６】
本発明は、上記事実を考慮して成されたもので、外部電源から住宅への給電を確実に実施可能にすることを目的とする。
【課題を解決するための手段】
【０００７】
上記目的を達成するために請求項１に記載の給電システムは、外部電源から電力を受電し、外部からの指示により通電を開始して受電する受電手段と、前記外部電源と前記受電手段との接続状態を検出する接続検出手段と、住宅への電力の供給源を系統電源または前記外部電源に切り替える切替手段の状態を検出する状態検出手段と、前記外部電源と前記受電手段とが接続されたことが前記接続検出手段によって検出され、かつ前記切替手段の状態が正常であることが前記状態検出手段によって検出された場合に、前記受電手段の通電を開始して前記外部電源からの電力供給を開始するように、前記受電手段を制御する制御手段と、を備えている。
【０００８】
請求項１に記載の発明によれば、受電手段では、外部電源から電力を受電する。また、受電手段は、外部からの指示により通電を開始することができる。
【０００９】
接続検出手段では、外部電源と受電手段との接続状態が検出され、状態検出手段では、住宅への電力の供給源を系統電源または外部電源に切り替える切替手段の状態が検出される。
【００１０】
そして、制御手段では、外部電源と前記受電手段が接続されたことが前記接続検出手段によって検出され、かつ切替手段の状態が正常であることが状態検出手段によって検出された場合に、受電手段の通電を開始して外部電源からの電力供給を開始するように、受電手段が制御される。
【００１１】
すなわち、外部電源と受電手段との接続、及び切替手段が正常であることが確認されてから外部電源からの通電が開始されるので、外部から住宅に確実に給電することができる。
【００１２】
請求項２に記載の発明は、外部からの指示により通電を開始する外部電源から電力を受電する受電手段と、前記外部電源と前記受電手段との接続状態を検出する接続検出手段と、住宅への電力の供給源を系統電源または前記外部電源に切り替える切替手段の状態を検出する状態検出手段と、前記外部電源と前記受電手段とが接続されたことが前記接続検出手段によって検出され、かつ前記切替手段の状態が正常であることが前記状態検出手段によって検出された場合に、前記外部電源からの電力供給を開始するように、前記外部電源を制御する制御手段と、を備えている。
【００１３】
請求項２に記載の発明によれば、受電手段では、外部電源から電力を受電する。外部電源としては、外部からの指示により通電を開始することが可能とされたものが適用される。
【００１４】
接続検出手段では、外部電源と受電手段との接続状態が検出され、状態検出手段では、住宅への電力の供給源を系統電源または外部電源に切り替える切替手段の状態が検出される。
【００１５】
そして、制御手段では、外部電源と前記受電手段が接続されたことが前記接続検出手段によって検出され、かつ切替手段の状態が正常であることが状態検出手段によって検出された場合に、外部電源からの電力供給を開始するように、外部電源が制御される。
【００１６】
すなわち、外部電源と受電手段との接続、及び切替手段が正常であることが確認されてから外部電源からの通電が開始されるので、外部から住宅に確実に給電することができる。
【００１７】
請求項３に記載の発明は、外部からの指示により通電を開始する外部電源から電力を受電する受電手段と、前記外部電源と前記受電手段との接続状態を検出する接続検出手段と、住宅への電力の供給源を系統電源または前記外部電源に切り替える切替手段と、前記切替手段の状態を検出する状態検出手段と、前記外部電源と前記受電手段とが接続されたことが前記接続検出手段によって検出され、かつ前記切替手段の状態が正常であることが前記状態検出手段によって検出された場合に、前記外部電源からの電力供給を開始するように前記外部電源を制御すると共に、住宅への電力の供給源を前記外部電源に切り替えるように前記切替手段を制御する制御手段と、を備えている。
【００１８】
請求項３に記載の発明によれば、受電手段では、外部電源から電力を受電する。外部電源としては、外部からの指示により通電を開始することが可能とされたものが適用される。
【００１９】
接続検出手段は、外部電源と受電手段との接続状態が検出される。また、切替手段によって、住宅への電力の供給源が系統電源または外部電源に切り替えられる。さらに、状態検出手段では、切替手段の状態が検出される。
【００２０】
そして、制御手段では、外部電源と受電手段とが接続されたことが接続検出手段によって検出され、かつ切替手段の状態が正常であることが状態検出手段によって検出された場合に、外部電源からの電力供給を開始するように外部電源が制御されると共に、住宅への電力の供給源を外部電源に切り替えるように前記切替手段が制御される。
【００２１】
すなわち、外部電源と受電手段との接続が完了して切替手段が正常であることが確認されてから外部電源からの通電が開始されると共に外部電源への切替が切替手段によって行われるので、外部から住宅に確実に給電することができる。
【００２２】
なお、請求項４に記載の発明のように、停電状態を検出する停電検出手段と、停電検出手段によって停電状態が検出された場合に、住宅へ供給する電力の供給源を外部電源へ切り替える切替手順を表示する表示手段と、を更に備えるようにしてもよい。これにより、表示された切替手順を確認することができる。この場合には、表示手段は、請求項５に記載の発明のように、接続検出手段及び状態検出手段の各々の検出結果に基づいて切替手順を順次切り替えて表示するようにしてよい。或いは、切替手順を全て一括表示するようにしてもよい。
【００２３】
また、請求項６に記載の発明のように、停電状態及び停電状態からの復旧を表す復電状態を検出する停電検出手段を更に備え、停電検出手段によって停電状態が検出された場合に、制御手段による制御を開始し、停電検出手段によって前記復電状態が検出された場合に、制御手段が、受電手段の通電を停止するように受電手段を更に制御するようにしてもよい。
【００２４】
また、請求項７に記載の発明のように、停電状態及び停電状態からの復旧を表す復電状態を検出する停電検出手段を更に備え、停電検出手段によって停電状態が検出された場合に、制御手段による制御を開始し、停電検出手段によって復電状態が検出された場合に、制御手段が、外部電源からの電力供給を停止するように外部電源を更に制御するようにしてもよい。
【００２５】
さらに、請求項８に記載の発明のように、停電状態及び停電状態からの復旧を表す復電状態を検出する停電検出手段を更に備え、停電検出手段によって停電状態が検出された場合に、制御手段による制御を開始し、停電検出手段によって前記復電状態が検出された場合に、制御手段が、住宅への電力の供給源を前記系統電源に切り替えるように前記切替手段を更に制御すると共に、外部電源からの電力供給を停止するように外部電源を更に制御するようにしてもよい。
【発明の効果】
【００２６】
以上説明したように本発明によれば、外部電源から住宅への給電を確実に実施可能にすることができる、という効果がある。
【図面の簡単な説明】
【００２７】
【図１】第１実施形態に係わる給電システムの概略構成を示すブロック図である。
【図２】第１実施形態に係る給電システムにおけるＨＥＭＳで行われる処理の流れの一例を示すフローチャートである。
【図３】ＨＥＭＳへの表示例を示す図である。
【図４】第１実施形態に係る給電システムにおけるＨＥＭＳで行われる復旧処理の一例の流れを示すフローチャートである。
【図５】本発明の第２実施形態に係る給電システムの概略構成を示すブロック図である。
【図６】本発明の第２実施形態に係る給電システムにおけるＨＥＭＳで行われる処理の流れの一例を示すフローチャートである。
【図７】ＨＥＭＳへの他の表示例を示す図である。
【図８】第２実施形態に係る給電システムにおける復旧処理の一例の流れを示すフローチャートである。
【図９】本発明の第３実施形態に係る給電システムにおけるＨＥＭＳで行われる処理の流れの一例を示すフローチャートである。
【図１０】第３実施形態に係る給電システムにおける復旧処理の一例の流れを示すフローチャートである。
【発明を実施するための形態】
【００２８】
以下、図面を参照して本発明の実施の形態の一例を詳細に説明する。
【００２９】
（第１実施形態）
【００３０】
図１は、第１実施形態に係わる給電システムの概略構成を示すブロック図である。
【００３１】
第１実施形態に係わる給電システム１０は、住宅内で使用されるエネルギーを管理するＨＥＭＳ（Home Energy Management System）１２、系統電源１４等から供給される電力を住宅内の各部屋に供給する分電盤１６、系統電源１４以外の外部電源１８を接続する外部電源接続器２０、及びリビング２２等の住宅の各部屋へ電力を供給するための電源を切り替える切替開閉盤２４を備えている。
【００３２】
ＨＥＭＳ１２は、操作部や表示部を備えると共に、住宅内で使用されるエネルギー（特に電力）を管理する機能を備えている。具体的には、各部屋の消費電力や、図示しない太陽光発電装置や燃料電池等の各種発電装置の発電状態や使用状況等を監視して表示する機能等を備える。ＨＥＭＳ１２は、基本的には一般的なコンピュータの構成とされている。すなわち、図示は省略するが、ＣＰＵ、ＲＯＭ、ＲＡＭ及び入出力ポート等を備え、それぞれシステムバスやデータバス等のバスに接続されている。そして、入出力ポートに、操作部や、表示部、メモリ等が接続されると共に、後述する停電検出器２６や外部電源接続器２０等の外部機器が接続可能とされている。なお、操作部は、表示部と一体化したタッチパネルを適用するようにしてもよいし、表示部とは別に機械的なスイッチ等を設けるようにしてもよいし、タッチパネル及び機械的なスイッチの双方を備えるようにしてもよい。また、機械的なスイッチの代わりにタッチスイッチを適用するようにしてもよい。
【００３３】
分電盤１６には、系統電源１４が接続されており、系統電源１４から供給される電力を切替開閉盤２４を介してリビング２２等の住宅の各部屋へ供給するようになっている。
【００３４】
また、分電盤１６には、停電検出器２６が設けられている。停電検出器２６には、分電盤１６の情報（例えば、系統電源１４の停電や過電流によるブレーカー遮断（トリップ）等の情報）が入力されると共に、切替開閉盤２４からの情報が入力される。停電検出器２６は、入力される情報に基づいて停電を含む電力の遮断を検出すると共に、電力遮断の原因を検出する。また、停電検出器２６は、ＨＥＭＳ１２に接続されており、停電検出器２６の検出結果をＨＥＭＳ１２へ出力するようになっている。なお、停電検出器２６には、停電やブレーカーの遮断等によって電源が遮断されても停電の有無を検出可能とするために、バッテリ２８が接続されており、バッテリ２８からの電力によって動作可能とされている。
【００３５】
切替開閉盤２４には、漏電ブレーカー３０が設けられていると共に、リビング２２等の住宅の各部屋へ電力を供給する電源を、分電盤１６から供給され系統電源１４と、外部電源接続器２０に接続される外部電源１８とに切り替えるスイッチ部３２とを備えている。なお、第１実施形態ではスイッチ部３２は手動で切り替えるものとして説明するが、ＨＥＭＳ１２等の指示により切替制御可能な構成としてもよい。
【００３６】
漏電ブレーカー３０は、スイッチ部３２のスイッチング状態（電源が系統電源１４であるか外部電源１８であるか）を検出して、検出結果を分電盤１６の停電検出部２６へ出力する機能を備えている。なお、スイッチ部３２のスイッチング状態の検出や検出結果の停電検出部２６への出力は、電力遮断時でも可能とするために、バッテリ２８の電力を用いて行うようにしてもよいし、別途バッテリを設けるようにしてもよい。
【００３７】
外部電源接続器２０は、切替開閉盤２４の漏電ブレーカー３０を介してスイッチ部３２に接続されている。また、外部電源接続器２０は、ケーブル３４を介して外部電源１８が接続可能とされており、接続された外部電源１８から電力を受電してスイッチ部３２を介してリビング２２等の住宅の各部屋へ供給可能とされている。また、外部電源接続器２０には、外部から制御可能な通電スイッチ２０Ａが設けられており、外部から通電スイッチ２０Ａを制御することにより、外部電源１８から受電する電力の切替開閉盤２４への通電と遮断が可能とされている。
【００３８】
なお、外部電源接続器２０に接続される外部電源１８としては、例えば、各種蓄電池を適用することができる。
【００３９】
また、外部電源接続器２０は、ケーブル３４の接続を検知する検知部３６を備えており、ケーブル３４が接続されたか否かを検知部３６によって検知し、検知結果をＨＥＭＳ１２へ出力するようになっている。
【００４０】
検知部３６は、例えば、外部電源接続器２０にケーブル３４が接続され、かつ外部電源１８にケーブル３４が接続された場合に、外部電源１８の電力によって点灯するＬＥＤと、該ＬＥＤの点灯を検出するフォトダイオードとを備えたケーブル接続検出回路等で構成するようにしてもよい。これにより、外部電源接続器２０及び外部電源１８にそれぞれケーブル３４が接続されることにより、ＬＥＤが点灯してフォトダイオードがＬＥＤの点灯を検出することでケーブル３４の接続を検知することができる。
【００４１】
ところで、第１実施形態に係る給電システムでは、停電が発生した場合に、ＨＥＭＳ１２が外部電源１８に切り替える手順を表示するようになっている。なお、ＨＥＭＳ１２は、停電検出器２６と同様に、系統電源１４１からの電力が遮断されても動作可能なように、図示しないバッテリ等により電力供給が可能とされている。
【００４２】
具体的には、停電検出器２６が、電力の遮断が発生した場合に、ＨＥＭＳ１２に電力遮断が発生したことを通知すると共に、分電盤１４からの情報や、漏電ブレーカー３０からの情報に基づいて、系統電源１４の停電なのか、ブレーカーの遮断であるかを検出し、検出結果をＨＥＭＳ１２へ出力する。
【００４３】
ＨＥＭＳ１２では、ブレーカーの遮断である場合には、ブレーカーの確認を促すメッセージ等を表示する。一方、系統電源１４の停電である場合には、系統電源１４の停電である旨を表すメッセージ等を表示すると共に、外部電源１８への切替を促す。これにより、ユーザが、外部電源接続器２０と外部電源１８とをケーブル３４によって接続して、切替開閉盤２４のスイッチ部３２の切替を操作することで外部電源１８の供給が開始可能となる。このとき、ＨＥＭＳ１２では、外部電源１８への切替手順を順次表示するようになっている。
【００４４】
続いて、上述のように構成された給電システム１０におけるＨＥＭＳ１２で行われる停電時の処理の流れについて説明する。図２は、第１実施形態に係る給電システム１０におけるＨＥＭＳ１２で行われる処理の流れの一例を示すフローチャートである。なお、図２の処理は、停電検出器２６によって電力の遮断が検出された場合に開始するものとして説明する。
【００４５】
停電検出器２６によって電力の遮断が検出されたことを表す情報をＨＥＭＳ１２が受信すると、ステップ１００では、外部電源１８への切替の開始画面がＨＥＭＳ１２に表示される。例えば、電力の遮断が検出されたことを表す情報が停電検出器２６から送信された場合に、ＨＥＭＳ１２は、図３（Ａ）に示すような非常時給電の開始画面を表示する。図３（Ａ）の例では、停電中で非常給電の開始を促すメッセージが表示された例を示す。
【００４６】
次にステップ１０２では、開始指示が行われたか否かＨＥＭＳ１２によって判定される。該判定は、例えば、図３（Ａ）の「開始」を指示する操作が行われたか否かをＨＥＭＳ１２が判定し、該判定が否定された場合には肯定されるまで待機してステップ１０４へ移行する。
【００４７】
ステップ１０４では、  分電盤１６が正常であるか否かＨＥＭＳ１２によって判定される。例えば、ＨＥＭＳ１２は、停電検出器２６から得られる情報に基づいて、電力遮断の原因がブレーカー遮断ではなく電力供給がないことによるものであるか否かを判定する。該判定が否定された場合にはステップ１０６へ移行し、肯定された場合にはステップ１０８へ移行する。
【００４８】
ステップ１０６では、分電盤の点検確認を促すメッセージ等がＨＥＭＳ１２に表示されて一連の処理を終了する。例えば、ＨＥＭＳ１２は、図３（Ｄ）に示すように、「ブレーカーを確認してください。」等のメッセージを表示することにより、漏電や過電流の確認を促す。
【００４９】
一方、ステップ１０８では、外部電源接続器２０と外部電源１８とを接続するケーブル３４の接続を促すメッセージがＨＥＭＳ１２に表示されてステップ１１０へ移行する。例えば、ＨＥＭＳ１２は、図３（Ｂ）に示すように、「１．ケーブルを接続してください。」等のメッセージを表示する。
【００５０】
ステップ１１０では、ケーブル３４の接続完了が検知されたか否かＨＥＭＳ１２によって判定される。該判定は、ＨＥＭＳ１２が外部電源接続器２０に設けられた検知部３６の検知結果を取得し、取得した検知結果に基づいてケーブル３４の接続が検知されたか否かを判定する。該判定が否定された場合にはステップ１０８に戻って上述の処理が繰り返され、判定が肯定された場合にステップ１１２へ移行する。
【００５１】
ステップ１１２では、ＯＫ指示が行われたか否かＨＥＭＳ１２によって判定される。該判定は、例えば、図３（Ｂ）の「ＯＫ」を指示する操作が行われたか否かをＨＥＭＳ１２が判定する。該判定が否定された場合にはステップ１０８に戻って上述の処理が繰り返され、判定が肯定された場合にステップ１１４へ移行する。
【００５２】
ステップ１１４では、切替開閉盤２４が正常であるか否かＨＥＭＳ１２によって判定される。例えば、ＨＥＭＳ１２は、停電検出器２６を介して得られる漏電ブレーカー３０のスイッチング状態等の情報に基づいて、切替開閉盤２４が正常であるか否かを判定する。該判定が否定された場合にはステップ１１６へ移行し、肯定された場合にはステップ１１８へ移行する。
【００５３】
ステップ１１６では、切替開閉盤２４の点検確認を促すメッセージ等がＨＥＭＳ１２に表示されて一連の処理を終了する。例えば、ＨＥＭＳ１２は、図３（Ｄ）と同様に、「漏電ブレーカーを確認してください。」等のメッセージを表示することにより、漏電や過電流の確認を促す。
【００５４】
一方、ステップ１１８では、放電許可信号が外部電源接続器２０に対してＨＥＭＳ１２から出力されてステップ１２０へ移行する。これにより、外部電源接続器２０では、放電許可信号により通電スイッチ２０Ａがオンされて外部電源１８から切替開閉盤２４へ通電される。
【００５５】
ステップ１２０では、外部電源１８への切替を促すメッセージがＨＥＭＳ１２に表示されてステップ１２２へ移行する。例えば、ＨＥＭＳ１２は、図３（Ｃ）に示すように、「準備ができました。発電／放電を開始してください。２．切り替えてください。」等のメッセージを表示する。
【００５６】
ステップ１２２では、外部電源１８への切替が検知されたか否かＨＥＭＳ１２によって判定される。該判定は、スイッチ部３２の状態を漏電ブレーカー３０が検知した結果を停電検出部２６を介してＨＥＭＳ１２が取得し、スイッチ部３２が外部電源１８側に切り替えられているか否かを判定する。該判定が否定された場合にはステップ１２０に戻って上述の処理が繰り返され、判定が肯定された場合にはステップ１２４へ移行する。すなわち、ユーザがＨＥＭＳ１２に表示されたメッセージを確認して、外部電源１８をオンしてスイッチ部３２を外部電源１８側に切り替えることにより、外部電源１８からの電力をリビング２２等の各部屋へ供給することが可能となる。
【００５７】
ステップ１２４では、ＯＫ指示が行われたか否かＨＥＭＳ１２によって判定される。該判定は、例えば、図３（Ｃ）の「ＯＫ」を指示する操作が行われたか否かをＨＥＭＳ１２が判定する。該判定が否定された場合にはステップ１２０に戻って上述の処理が繰り返され、判定が肯定された場合にはステップ１２６へ移行する。
【００５８】
ステップ１２６では、「非常時給電中」のメッセージがＨＥＭＳ１２に表示されて一連の処理を終了する。
【００５９】
なお、第１実施形態では、切替開閉盤２４のスイッチ部３２の切替操作を行う前に放電許可信号を外部電源接続機器２０に出力するようにしたが、切替操作を行ってから放電許可信号を出力するようにしてもよい。
【００６０】
続いて、停電が復旧した際にＨＥＭＳ１２で行われる復旧処理について説明する。図４は、第１実施形態に係る給電システム１０におけるＨＥＭＳ１２で行われる復旧処理の一例の流れを示すフローチャートである。
【００６１】
すなわち、復旧処理へ移行すると、ステップ２００では、非常電源停止メッセージがＨＭＥＳ１２に表示されてステップ２０２へ移行する。例えば、ＨＥＭＳ１２は、図３（Ｆ）に示すように、「復電しました。非常時給電を停止します。」等のメッセージを表示する。
【００６２】
ステップ２０２では、開始指示が行われたか否かＨＥＭＳ１２によって判定される。該判定は、例えば、図３（Ｆ）の「開始」を指示する操作が行われたか否かをＨＥＭＳ１２が判定する。該判定が否定された場合には肯定されるまで待機してステップ２０４へ移行する。
【００６３】
ステップ２０４では、切替開閉盤２４が正常であるか否かＨＥＭＳ１２によって判定される。例えば、ＨＥＭＳ１２は、停電検出器２６を介して得られる漏電ブレーカー３０のスイッチング状態等の情報に基づいて、切替開閉盤２４が正常であるか否かを判定する。該判定が否定された場合にはステップ２０６へ移行し、肯定された場合にはステップ２０８へ移行する。
【００６４】
ステップ２０６では、切替開閉盤２４の点検確認を促すメッセージ等がＨＥＭＳ１２に表示されて一連の処理を終了する。例えば、ＨＥＭＳ１２は、図３（Ｄ）と同様に、「漏電ブレーカーを確認してください。」等のメッセージを表示することにより、漏電や過電流の確認を促す。
【００６５】
一方、ステップ２０８では、系統電源１４への切替を促すメッセージがＨＥＭＳ１２に表示されてステップ２１０へ移行する。例えば、ＨＥＭＳ１２は、図３（Ｇ）に示すように、「外部電源を停止してください。１．切り替えてください。」等のメッセージを表示する。
【００６６】
ステップ２１０では、系統電源１４への切替が検知されたか否かＨＥＭＳ１２によって判定される。該判定は、ユーザによって切替開閉盤２４のスイッチ部３２の切替が行われたか否かを判定するために、スイッチ部３２の状態を漏電ブレーカー３０が検知した結果を停電検出部２６を介してＨＥＭＳ１２が取得し、取得結果に基づいてスイッチ部３２が系統電源１４側に切り替えられているか否かを判定する。該判定が否定された場合にはステップ２０８に戻って上述の処理が繰り返され、判定が肯定された場合にはステップ２１２へ移行する。
【００６７】
ステップ２１２では、ＯＫ指示が行われたか否かＨＥＭＳ１２によって判定される。該判定は、例えば、図３（Ｇ）の「ＯＫ」を指示する操作が行われたか否かをＨＥＭＳ１２が判定する。該判定が否定された場合にはステップ２０８に戻って上述の処理が繰り返され、判定が肯定された場合にはステップ２１４へ移行する。すなわち、ユーザがＨＥＭＳ１２に表示されたメッセージを確認して、外部電源１８の通電を停止して、スイッチ部３２を系統電源１４側に切り替えて、ＯＫ指示を行うことで系統電源１４からリビング２２等の各部屋への電力供給を再開することが可能となる。
【００６８】
ステップ２１４では、放電停止信号が外部電源接続器２０に対してＨＥＭＳ１２から出力されてステップ２１６へ移行する。これにより、外部電源接続器２０では、放電停止信号により通電スイッチ２０Ａがオフされて外部電源１８から切替開閉盤２４へ通電が遮断される。
【００６９】
ステップ２１６では、ケーブル取り外しメッセージがＨＥＭＳ１２に表示されてステップ２１８へ移行する。例えば、ＨＥＭＳ１２は、図３（Ｈ）に示すように、「２．ケーブルをしまってください。」等のメッセージを表示する。
【００７０】
ステップ２１８では、ケーブル３４の切断が検知されたか否かＨＥＭＳ１２によって判定される。該判定は、ＨＥＭＳ１２が外部電源接続器２０に設けられた検知部３６の検知結果を取得して、取得した検知結果に基づいてケーブル３４の切断が検知されたか否かを判定する。該判定が否定された場合にはステップ２１６に戻って上述の処理が繰り返され、判定が肯定された場合にはステップ２２０へ移行する。
【００７１】
ステップ２２０では、ＯＫ指示が行われたか否かＨＥＭＳ１２によって判定される。該判定は、例えば、図３（Ｈ）の「ＯＫ」を指示する操作が行われたか否かをＨＥＭＳ１２が判定する。該判定が否定された場合にはステップ２１６に戻って上述の処理が繰り返され、判定が肯定された場合にはステップ２２２へ移行する。
【００７２】
ステップ２２２では、「非常時給電中」の表示がＨＥＭＳ１２によって停止されて一連の復旧処理を終了する。
【００７３】
（第２実施形態）
【００７４】
続いて、本発明の第２実施形態に係る給電システムについて説明する。図５は、本発明の第２実施形態に係る給電システムの概略構成を示すブロック図である。なお、上述の第１実施形態と同一構成については同一符号を付して説明する。
【００７５】
本実施形態に係る給電システム１１は、第１実施形態と同様に、住宅内で使用されるエネルギーを管理するＨＥＭＳ（Home Energy Management System）１２、系統電源１４等から供給される電力を住宅内の各部屋に供給する分電盤１６、系統電源１４以外の外部電源１９を接続する外部電源接続器２１、及びリビング２２等の住宅の各部屋へ電力を供給するための電源を切り替える切替開閉盤２４を備えている。
【００７６】
ＨＥＭＳ１２は、操作部や表示部を備えると共に、住宅内で使用されるエネルギー（特に電力）を管理する機能を備えている。具体的には、各部屋の消費電力や、図示しない太陽光発電装置や燃料電池等の各種発電装置の発電状態や使用状況等を監視して表示する機能等を備える。ＨＥＭＳ１２は、基本的には一般的なコンピュータの構成とされている。すなわち、図示は省略するが、ＣＰＵ、ＲＯＭ、ＲＡＭ及び入出力ポート等を備え、それぞれシステムバスやデータバス等のバスに接続されている。そして、入出力ポートに、操作部や、表示部、メモリ等が接続されると共に、後述する停電検出器２６や外部電源接続器２１等の外部機器が接続可能とされている。なお、操作部は、表示部と一体化したタッチパネルを適用するようにしてもよいし、表示部とは別に機械的なスイッチ等を設けるようにしてもよいし、タッチパネル及び機械的なスイッチの双方を備えるようにしてもよい。また、機械的なスイッチの代わりにタッチスイッチを適用するようにしてもよい。
【００７７】
分電盤１６には、系統電源１４が接続されており、系統電源１４から供給される電力を切替開閉盤２４を介してリビング等の住宅の各部屋へ供給するようになっている。
【００７８】
また、分電盤１６には、停電検出器２６が設けられている。停電検出器２６には、分電盤１６の情報（例えば、系統電源１４の停電や過電流によるブレーカー遮断（トリップ）等の情報）が入力されると共に、切替開閉盤２４からの情報が入力される。停電検出器２６は、入力される情報に基づいて停電を含む電力の遮断を検出すると共に、電力遮断の原因を検出する。また、停電検出器２６は、ＨＥＭＳ１２に接続されており、停電検出器２６の検出結果をＨＥＭＳ１２へ出力するようになっている。なお、停電検出器２６には、停電やブレーカーの遮断等によって電源が遮断されても停電の有無を検出可能とするために、バッテリ２８が接続されており、バッテリ２８からの電力によって動作可能とされている。
【００７９】
切替開閉盤２４には、漏電ブレーカー３０が設けられていると共に、リビング２２等の住宅の各部屋へ電力を供給する電源を、分電盤１６から供給され系統電源１４と、外部電源接続器２１に接続される外部電源１９とに切り替えるスイッチ部３２とを備えている。なお、第２実施形態では第１実施形態と同様にスイッチ部３２は手動で切り替えるものとして説明するが、ＨＥＭＳ１２等の指示により切替制御可能な構成としてもよい。
【００８０】
漏電ブレーカー３０は、スイッチ部３２のスイッチング状態（電源が系統電源１４であるか外部電源１９であるか）を検出して、検出結果を分電盤１６の停電検出部２６へ出力する機能を備えている。なお、スイッチ部３２のスイッチング状態の検出や検出結果の停電検出部２６への出力は、電力遮断時でも可能とするために、バッテリ２８の電力を用いて行うようにしてもよいし、別途バッテリを設けるようにしてもよい。
【００８１】
外部電源接続器２１は、切替開閉盤２４の漏電ブレーカー３０を介してスイッチ部３２に接続されている。また、外部電源接続器２１は、ケーブル３５を介して外部電源１９が接続可能とされており、接続された外部電源１９から電力を受電してスイッチ部３２を介してリビング２２等の住宅の各部屋へ供給可能とされている。
【００８２】
本実施形態では、外部電源接続器２１にケーブル３５を介して接続される外部電源１９としては、走行用の蓄電池が搭載されたハイブリッド自動車や電気自動車等の自動車が適用される。
【００８３】
外部電源接続器２１には、外部電源１９との接続及び外部電源１９としての自動車と通信を行うためのコネクタ回路３８が設けられている。コネクタ回路３８は、外部電源１９としての自動車と通信することによってケーブル３５の接続確認を行う。すなわち、自動車側には、コネクタ回路３８と通信するための通信手段を備えている。また、本実施形態では、外部電源１９としての自動車には、コネクタ回路３８からの指示に基づいて通電の有無が制御可能な構成を有するものとして説明する。
【００８４】
本実施形態に係る給電システムにおいても、第１実施形態と同様に、停電が発生した場合に、ＨＥＭＳ１２が外部電源１９に切り替える手順を表示するようになっている。なお、ＨＥＭＳ１２は、停電検出器２６と同様に、系統電源１４からの電力が遮断されても動作可能なように、図示しないバッテリ等により電力供給が可能とされている。
【００８５】
具体的には、停電検出器２６が、停電検出器２６が、電力の遮断が発生した場合に、ＨＥＭＳ１２に電力遮断が発生したことを通知すると共に、分電盤１６からの情報や、漏電ブレーカー３０からの情報に基づいて、系統電源１４の停電なのか、ブレーカーの遮断であるかを検出し、検出結果をＨＥＭＳ１２へ出力する。
【００８６】
ＨＥＭＳ１２では、ブレーカーの遮断である場合には、ブレーカーの確認を促すメッセージ等を表示する。一方、系統電源１４の停電である場合には、系統電源１４の停電である旨を表すメッセージ等を表示すると共に、外部電源１９への切替を促す。これにより、ユーザが、外部電源接続器２１と外部電源１９とをケーブル３５によって接続して、切替開閉盤２４のスイッチ部３２の切替を操作することで外部電源１９の供給が開始可能となる。このとき、ＨＥＭＳ１２では、外部電源１９への切替手順を順次表示するようになっている。
【００８７】
また、本実施形態では、ケーブル３５の接続及び外部電源１９への切替がＨＥＭＳ１２によって確認された場合に、ＨＥＭＳ１２が外部電源１９の通電開始を制御するようになっている。具体的には、ＨＥＭＳ１２が外部電源１９としての自動車に対してコネクタ回路３８を介して放電許可信号を出力する。これにより外部電源１９では、放電許可信号を受信したところで通電を開始する。
【００８８】
続いて、上述のように構成された給電システム１１におけるＨＥＭＳ１２で行われる停電時の処理の流れについて説明する。図６は、本発明の第２実施形態に係る給電システム１１におけるＨＥＭＳ１２で行われる処理の流れの一例を示すフローチャートである。なお、図６の処理は、停電検出器２６によって電力の遮断が検出された場合に開始するものとして説明する。また、第１実施形態と同一処理については同一符号を付して説明する。
【００８９】
停電検出器２６によって電力の遮断が検出されたことを表す情報をＨＥＭＳ１２が受信すると、ステップ１００では、外部電源１９への切替の開始画面がＨＥＭＳ１２に表示される。例えば、電力の遮断が検出されたことを表す情報が停電検出器２６から送信された場合に、ＨＥＭＳ１２は、図３（Ａ）に示すような非常時給電の開始画面を表示する。図３（Ａ）の例では、停電中で非常給電の開始を促すメッセージが表示された例を示す。
【００９０】
次にステップ１０２では、開始指示が行われたか否かＨＥＭＳ１２によって判定される。該判定は、例えば、図３（Ａ）の「開始」を指示する操作が行われたか否かをＨＥＭＳ１２が判定し、該判定が否定された場合には肯定されるまで待機してステップ１０４へ移行する。
【００９１】
ステップ１０４では、  分電盤１６が正常であるか否かＨＥＭＳ１２によって判定される。例えば、ＨＥＭＳ１２は、停電検出器２６から得られる情報に基づいて、電力遮断の原因がブレーカー遮断ではなく電力供給がないことによるものであるか否かを判定する。該判定が否定された場合にはステップ１０６へ移行し、肯定された場合にはステップ１０８へ移行する。
【００９２】
ステップ１０６では、分電盤の点検確認を促すメッセージ等がＨＥＭＳ１２に表示されて一連の処理を終了する。例えば、ＨＥＭＳ１２は、図３（Ｄ）に示すように、「ブレーカーを確認してください。」等のメッセージを表示することにより、漏電や過電流の確認を促す。
【００９３】
一方、ステップ１０８では、外部電源接続器２０と外部電源１８とを接続するケーブル３４の接続を促すメッセージがＨＥＭＳ１２に表示されてステップ１１０へ移行する。例えば、ＨＥＭＳ１２は、図３（Ｂ）に示すように、「１．ケーブルを接続してください。」等のメッセージを表示する。
【００９４】
ステップ１１０では、ケーブル３４の接続完了が検知されたか否かＨＥＭＳ１２によって判定される。該判定は、ＨＥＭＳ１２が外部電源接続器２１に設けられたコネクタ回路３８から、コネクタ回路３８と外部電源１９との通信結果を取得し、取得した通信結果に基づいてケーブル３５の接続が検知されたか否かを判定する。さらに具体的には、コネクタ回路３８と外部電源１９との通信が確立されているか否かを判定することにより、ケーブル３５の接続完了検知を判定する。該判定が否定された場合にはステップ１０８に戻って上述の処理が繰り返され、判定が肯定された場合にステップ１１２へ移行する。
【００９５】
ステップ１１２では、ＯＫ指示が行われたか否かＨＥＭＳ１２によって判定される。該判定は、例えば、図３（Ｂ）の「ＯＫ」を指示する操作が行われたか否かをＨＥＭＳ１２が判定する。該判定が否定された場合にはステップ１０８に戻って上述の処理が繰り返され、判定が肯定された場合にステップ１１４へ移行する。
【００９６】
ステップ１１４では、切替開閉盤２４が正常であるか否かＨＥＭＳ１２によって判定される。例えば、ＨＥＭＳ１２は、停電検出器２６を介して得られる漏電ブレーカー３０のスイッチング状態等の情報に基づいて、切替開閉盤２４が正常であるか否かを判定する。該判定が否定された場合にはステップ１１６へ移行し、肯定された場合にはステップ１１９へ移行する。
【００９７】
ステップ１１６では、切替開閉盤２４の点検確認を促すメッセージ等がＨＥＭＳ１２に表示されて一連の処理を終了する。例えば、ＨＥＭＳ１２は、図３（Ｄ）と同様に、「漏電ブレーカーを確認してください。」等のメッセージを表示することにより、漏電や過電流の確認を促す。
【００９８】
一方、ステップ１１９では、外部電源１９としての自動車に対して放電許可信号がＨＥＭＳ１２によって出力されてステップ１２０へ移行する。すなわち、ＨＥＭＳ１２がコネクタ回路３８及びケーブル３５を介して放電許可信号を外部電源１９に出力する。外部電源１９としての自動車では、放電許可信号を受信すると、通電を開始する。これにより、外部電源１９から外部電源接続器２１へ通電される。
【００９９】
ステップ１２０では、外部電源１９への切替を促すメッセージがＨＥＭＳ１２に表示されてステップ１２２へ移行する。例えば、ＨＥＭＳ１２は、図７（Ａ）に示すように、「準備ができました。発電／放電を開始します。２．切り替えてください。」等のメッセージを表示する。
【０１００】
ステップ１２２では、外部電源１８への切替が検知されたか否かＨＥＭＳ１２によって判定される。該判定は、スイッチ部３２の状態を漏電ブレーカー３０が検知した結果を停電検出部２６を介してＨＥＭＳ１２が取得し、スイッチ部３２が外部電源１８側に切り替えられているか否かを判定する。該判定が否定された場合にはステップ１２０に戻って上述の処理が繰り返され、判定が肯定された場合にはステップ１２４へ移行する。すなわち、ユーザがＨＥＭＳ１２に表示されたメッセージを確認して、スイッチ部３２を外部電源１８側に切り替えることにより、外部電源１８からの電力をリビング２２等の各部屋へ供給することが可能となる。
【０１０１】
ステップ１２４では、ＯＫ指示が行われたか否かＨＥＭＳ１２によって判定される。該判定は、例えば、図７（Ａ）の「ＯＫ」を指示する操作が行われたか否かをＨＥＭＳ１２が判定する。該判定が否定された場合にはステップ１２０に戻って上述の処理が繰り返され、判定が肯定された場合にはステップ１２６へ移行する。
【０１０２】
ステップ１２６では、「非常時給電中」のメッセージがＨＥＭＳ１２に表示されて一連の処理を終了する。
【０１０３】
なお、第２実施形態では、切替開閉盤２４のスイッチ部３２の切替操作を行う前に放電許可信号を外部電源１９に出力するようにしたが、切替操作を行ってから放電許可信号を出力するようにしてもよい。
【０１０４】
続いて、停電が復旧した際にＨＥＭＳ１２で行われる復旧処理について説明する。図８は、第２実施形態に係る給電システムにおける復旧処理の一例の流れを示すフローチャートである。
【０１０５】
すなわち、復旧処理へ移行すると、ステップ２００では、非常電源停止メッセージがＨＭＥＳ１２に表示されてステップ２０２へ移行する。例えば、ＨＥＭＳ１２は、図３（Ｆ）に示すように、「復電しました。非常時給電を停止します。」等のメッセージを表示する。
【０１０６】
ステップ２０２では、開始指示が行われたか否かＨＥＭＳ１２によって判定される。該判定は、例えば、図３（Ｆ）の「開始」を指示する操作が行われたか否かをＨＥＭＳ１２が判定する。該判定が否定された場合には肯定されるまで待機してステップ２０４へ移行する。
【０１０７】
ステップ２０４では、切替開閉盤２４が正常であるか否かＨＥＭＳ１２によって判定される。例えば、ＨＥＭＳ１２は、停電検出器２６を介して得られる漏電ブレーカー３０のスイッチング状態等の情報に基づいて、切替開閉盤２４が正常であるか否かを判定する。該判定が否定された場合にはステップ２０６へ移行し、肯定された場合にはステップ２０８へ移行する。
【０１０８】
ステップ２０６では、切替開閉盤２４の点検確認を促すメッセージ等がＨＥＭＳ１２に表示されて一連の処理を終了する。例えば、ＨＥＭＳ１２は、図３（Ｄ）と同様に、「漏電ブレーカーを確認してください。」等のメッセージを表示することにより、漏電や過電流の確認を促す。
【０１０９】
一方、ステップ２０８では、系統電源１４への切替を促すメッセージがＨＥＭＳ１２に表示されてステップ２１０へ移行する。例えば、ＨＥＭＳ１２は、図７（Ｂ）に示すように、「外部電源を停止します。１．切り替えてください。」等のメッセージを表示する。
【０１１０】
ステップ２１０では、系統電源１４への切替が検知されたか否かＨＥＭＳ１２によって判定される。該判定は、ユーザによって切替開閉盤２４のスイッチ部３２の切替が行われたか否かを判定するために、スイッチ部３２の状態を漏電ブレーカー３０が検知した結果を停電検出部２６を介してＨＥＭＳ１２が取得し、取得結果に基づいてスイッチ部３２が系統電源１４側に切り替えられているか否かを判定する。該判定が否定された場合にはステップ２０８に戻って上述の処理が繰り返され、判定が肯定された場合にはステップ２１２へ移行する。
【０１１１】
ステップ２１２では、ＯＫ指示が行われたか否かＨＥＭＳ１２によって判定される。該判定は、例えば、図７（Ｂ）の「ＯＫ」を指示する操作が行われたか否かをＨＥＭＳ１２が判定する。該判定が否定された場合にはステップ２０８に戻って上述の処理が繰り返され、判定が肯定された場合にはステップ２１５へ移行する。すなわち、ユーザがＨＥＭＳ１２に表示されたメッセージを確認して、スイッチ部３２を系統電源１４側に切り替えて、ＯＫ指示を行うことで系統電源１４からリビング２２等の各部屋への電力供給を再開することが可能となる。
【０１１２】
ステップ２１５では、外部電源１９としての自動車に対して放電停止信号がＨＥＭＳ１２によって出力されてステップ２１６へ移行する。すなわち、ＨＥＭＳ１２がコネクタ回路３８及びケーブル３５を介して放電停止信号を外部電源１９に出力する。外部電源１９としての自動車では、放電停止信号を受信すると、通電を停止する。これにより、外部電源１９からの通電が停止されるので、外部電源１９からの給電を確実に停止することが可能となる。
【０１１３】
ステップ２１６では、ケーブル取り外しメッセージがＨＥＭＳ１２に表示されてステップ２１８へ移行する。例えば、ＨＥＭＳ１２は、図３（Ｈ）に示すように、「２．ケーブルをしまってください。」等のメッセージを表示する。
【０１１４】
ステップ２１８では、ケーブル３５の切断が検知されたか否かＨＥＭＳ１２によって判定される。該判定は、ＨＥＭＳ１２が外部電源接続器２１に設けられたコネクタ回路３８から外部電源１９との通信結果を取得して、取得した通信結果（通信不能の検出等）に基づいてケーブル３５の切断が検知されたか否かを判定する。該判定が否定された場合にはステップ２１６に戻って上述の処理が繰り返され、判定が肯定された場合にはステップ２２０へ移行する。
【０１１５】
ステップ２２０では、ＯＫ指示が行われたか否かＨＥＭＳ１２によって判定される。該判定は、例えば、図３（Ｈ）の「ＯＫ」を指示する操作が行われたか否かをＨＥＭＳ１２が判定する。該判定が否定された場合にはステップ２１６に戻って上述の処理が繰り返され、判定が肯定された場合にはステップ２２２へ移行する。
【０１１６】
ステップ２２２では、「非常時給電中」の表示がＨＥＭＳ１２によって停止されて一連の復旧処理を終了する。
【０１１７】
このように、本実施形態に係る給電システム１１では、外部電源接続器２１と外部電源１９とがケーブル３５によって接続され、かつ切替開閉盤２４が正常であることが検出された場合に、放電を開始するようにＨＥＭＳ１２が外部電源１９を制御するので、外部電源１９から住宅への給電を確実に実施可能にすることができる。
【０１１８】
（第３実施形態）
【０１１９】
続いて、本発明の第３実施形態に係る給電システムについて説明する。第３実施形態に係る給電システムは、第２実施形態に係る給電システム１１の変形例であり、基本的な構成は、第２実施形態と同一であるため、詳細な説明を省略する。
【０１２０】
第１実施形態及び第２実施形態では、スイッチ部３２を手動で切り替えるようにしたが、第３実施形態では、スイッチ部３２がＨＥＭＳ１２の指示によって切替制御可能とされている以外は第２実施形態と同一である。
【０１２１】
すなわち、スイッチ部３２は、ＨＥＭＳ１２からの信号に基づいて、スイッチ状態を系統電源１４側と、外部電源１９側に切り替える機能を備えている。なお、電力遮断時のスイッチング状態を切り替えるための電力は、バッテリ２８の電力を用いるようにしてもよいし、他のバッテリを設けるようにしてもよい。
【０１２２】
ここで、第３実施形態に係る給電システムにおけるＨＥＭＳ１２で行われる停電時の処理の流れについて説明する。図９は、本発明の第３実施形態に係る給電システムにおけるＨＥＭＳ１２で行われる処理の流れの一例を示すフローチャートである。なお、図９の処理は、停電検出器２６によって電力の遮断が検出された場合に開始するものとして説明する。また、第２実施形態と同一処理については同一符号を付して説明する。
【０１２３】
停電検出器２６によって電力の遮断が検出されたことを表す情報をＨＥＭＳ１２が受信すると、ステップ１００では、外部電源１９への切替の開始画面がＨＥＭＳ１２に表示される。例えば、電力の遮断が検出されたことを表す情報が停電検出器２６から送信された場合に、ＨＥＭＳ１２は、図３（Ａ）に示すような非常時給電の開始画面を表示する。図３（Ａ）の例では、停電中で非常給電の開始を促すメッセージが表示された例を示す。
【０１２４】
次にステップ１０２では、開始指示が行われたか否かＨＥＭＳ１２によって判定される。該判定は、例えば、図３（Ａ）の「開始」を指示する操作が行われたか否かをＨＥＭＳ１２が判定し、該判定が否定された場合には肯定されるまで待機してステップ１０４へ移行する。
【０１２５】
ステップ１０４では、  分電盤１６が正常であるか否かＨＥＭＳ１２によって判定される。例えば、ＨＥＭＳ１２は、停電検出器２６から得られる情報に基づいて、電力遮断の原因がブレーカー遮断ではなく電力供給がないことによるものであるか否かを判定する。該判定が否定された場合にはステップ１０６へ移行し、肯定された場合にはステップ１０８へ移行する。
【０１２６】
ステップ１０６では、分電盤の点検確認を促すメッセージ等がＨＥＭＳ１２に表示されて一連の処理を終了する。例えば、ＨＥＭＳ１２は、図３（Ｄ）に示すように、「ブレーカーを確認してください。」等のメッセージを表示することにより、漏電や過電流の確認を促す。
【０１２７】
一方、ステップ１０８では、外部電源接続器２０と外部電源１８とを接続するケーブル３４の接続を促すメッセージがＨＥＭＳ１２に表示されてステップ１１０へ移行する。例えば、ＨＥＭＳ１２は、図３（Ｂ）に示すように、「１．ケーブルを接続してください。」等のメッセージを表示する。
【０１２８】
ステップ１１０では、ケーブル３４の接続完了が検知されたか否かＨＥＭＳ１２によって判定される。該判定は、ＨＥＭＳ１２が外部電源接続器２１に設けられたコネクタ回路３８から、コネクタ回路３８と外部電源１９との通信結果を取得し、取得した通信結果に基づいてケーブル３５の接続が検知されたか否かを判定する。さらに具体的には、コネクタ回路３８と外部電源１９との通信が確立されているか否かを判定することにより、ケーブル３５の接続完了検知を判定する。該判定が否定された場合にはステップ１０８に戻って上述の処理が繰り返され、判定が肯定された場合にステップ１１２へ移行する。
【０１２９】
ステップ１１２では、ＯＫ指示が行われたか否かＨＥＭＳ１２によって判定される。該判定は、例えば、図３（Ｂ）の「ＯＫ」を指示する操作が行われたか否かをＨＥＭＳ１２が判定する。該判定が否定された場合にはステップ１０８に戻って上述の処理が繰り返され、判定が肯定された場合にステップ１１４へ移行する。
【０１３０】
ステップ１１４では、切替開閉盤２４が正常であるか否かＨＥＭＳ１２によって判定される。例えば、ＨＥＭＳ１２は、停電検出器２６を介して得られる漏電ブレーカー３０のスイッチング状態等の情報に基づいて、切替開閉盤２４が正常であるか否かを判定する。該判定が否定された場合にはステップ１１６へ移行し、肯定された場合にはステップ１１９へ移行する。
【０１３１】
ステップ１１６では、切替開閉盤２４の点検確認を促すメッセージ等がＨＥＭＳ１２に表示されて一連の処理を終了する。例えば、ＨＥＭＳ１２は、図３（Ｄ）と同様に、「漏電ブレーカーを確認してください。」等のメッセージを表示することにより、漏電や過電流の確認を促す。
【０１３２】
一方、ステップ１１９では、外部電源１９としての自動車に対して放電許可信号がＨＥＭＳ１２によって出力されてステップ１２１へ移行する。すなわち、ＨＥＭＳ１２がコネクタ回路３８及びケーブル３５を介して放電許可信号を外部電源１９に出力する。外部電源１９としての自動車では、放電許可信号を受信すると、通電を開始する。これにより、外部電源１９から外部電源接続器２１へ通電される。
【０１３３】
ステップ１２１では外部電源切換確認メッセージがＨＥＭＳ１２に表示されてステップ１２３へ移行する。例えば、ＨＥＭＳ１２が、「外部電源に切り替えます。」等のメッセージを表示する。
【０１３４】
ステップ１２３では、ＯＫ指示が行われたか否かＨＥＭＳ１２によって判定される。該判定は、例えば、「ＯＫ」等を指示する操作が行われたか否かをＨＥＭＳ１２が判定する。該判定が否定された場合にはステップ１２１に戻って上述の処理が繰り返され、判定が肯定された場合にはステップ１２５へ移行する。
【０１３５】
ステップ１２５では、切替開閉盤２４の電源切換がＨＥＭＳによって行われてステップ１２６へ移行する。すなわち、ＨＥＭＳ１２が切替開閉盤２４のスイッチ部３２に対して外部電源１９に切り替える指示を行う。当該指示を受けると、スイッチ部３２がリビング２２等の各部屋へ供給する電源を外部電源１９側に切り替える。これにより外部電源１８からの電力をリビング２２等の各部屋へ供給することが可能となる。
【０１３６】
ステップ１２６では、「非常時給電中」のメッセージがＨＥＭＳ１２に表示されて一連の処理を終了する。
【０１３７】
なお、第３実施形態では、切替開閉盤２４の電源切替を行う前に放電許可信号を外部電源１９に出力するようにしたが、電源切替を行ってから放電許可信号を出力するようにしてもよい。
【０１３８】
続いて、停電が復旧した際にＨＥＭＳ１２で行われる復旧処理について説明する。図１０は、第３実施形態に係る給電システムにおける復旧処理の一例の流れを示すフローチャートである。
【０１３９】
すなわち、復旧処理へ移行すると、ステップ２００では、非常電源停止メッセージがＨＭＥＳ１２に表示されてステップ２０２へ移行する。例えば、ＨＥＭＳ１２は、図３（Ｆ）に示すように、「復電しました。非常時給電を停止します。」等のメッセージを表示する。
【０１４０】
ステップ２０２では、開始指示が行われたか否かＨＥＭＳ１２によって判定される。該判定は、例えば、図３（Ｆ）の「開始」を指示する操作が行われたか否かをＨＥＭＳ１２が判定する。該判定が否定された場合には肯定されるまで待機してステップ２０４へ移行する。
【０１４１】
ステップ２０４では、切替開閉盤２４が正常であるか否かＨＥＭＳ１２によって判定される。例えば、ＨＥＭＳ１２は、停電検出器２６を介して得られる漏電ブレーカー３０のスイッチング状態等の情報に基づいて、切替開閉盤２４が正常であるか否かを判定する。該判定が否定された場合にはステップ２０６へ移行し、肯定された場合にはステップ２０７へ移行する。
【０１４２】
ステップ２０６では、切替開閉盤２４の点検確認を促すメッセージ等がＨＥＭＳ１２に表示されて一連の処理を終了する。例えば、ＨＥＭＳ１２は、図３（Ｄ）と同様に、「漏電ブレーカーを確認してください。」等のメッセージを表示することにより、漏電や過電流の確認を促す。
【０１４３】
一方、ステップ２０７では、外部電源切替確認メッセージがＨＥＭＳ１２に表示されてステップ２０９へ移行する。例えば、ＨＥＭＳ１２は、「外部電源を停止して切り替えます。」等のメッセージを表示する。
【０１４４】
ステップ２０９では、ＯＫ指示が行われたか否かＨＥＭＳ１２によって判定される。該判定は、例えば、「ＯＫ」を指示する操作が行われたか否かをＨＥＭＳ１２が判定する。該判定が否定された場合にはステップ２０７に戻って上述の処理が繰り返され、判定が肯定された場合にはステップ２１１へ移行する。
【０１４５】
ステップ２１１では、切替開閉盤２４の電源切換が行われてステップ２１５へ移行する。すなわち、ＨＥＭＳ１２が切替開閉盤２４のスイッチ部３２に対して系統電源１４に切り替える指示を行う。当該指示を受けると、スイッチ部３２が、リビング２２等の各部屋への電源を系統電源１４側に切り替える。これにより、系統電源１４からの電力のリビング２２等の各部屋への供給を再開することが可能となる。
【０１４６】
ステップ２１５では、外部電源１９としての自動車に対して放電停止信号がＨＥＭＳ１２によって出力されてステップ２１６へ移行する。すなわち、ＨＥＭＳ１２がコネクタ回路３８及びケーブル３５を介して放電停止信号を外部電源１９に出力する。外部電源１９としての自動車では、放電停止信号を受信すると、通電を停止する。これにより、外部電源１９からの通電が停止されるので、外部電源１９からの給電を確実に停止することが可能となる。
【０１４７】
ステップ２１６では、ケーブル取り外しメッセージがＨＥＭＳ１２に表示されてステップ２１８へ移行する。例えば、ＨＥＭＳ１２は、図３（Ｈ）に示すように、「２．ケーブルをしまってください。」等のメッセージを表示する。
【０１４８】
ステップ２１８では、ケーブル３５の切断が検知されたか否かＨＥＭＳ１２によって判定される。該判定は、ＨＥＭＳ１２が外部電源接続器２１に設けられたコネクタ回路３８から外部電源１９との通信結果を取得して、取得した通信結果（通信不能の検出等）に基づいてケーブル３５の切断が検知されたか否かを判定する。該判定が否定された場合にはステップ２１６に戻って上述の処理が繰り返され、判定が肯定された場合にはステップ２２０へ移行する。
【０１４９】
ステップ２２０では、ＯＫ指示が行われたか否かＨＥＭＳ１２によって判定される。該判定は、例えば、図３（Ｈ）の「ＯＫ」を指示する操作が行われたか否かをＨＥＭＳ１２が判定する。該判定が否定された場合にはステップ２１６に戻って上述の処理が繰り返され、判定が肯定された場合にはステップ２２２へ移行する。
【０１５０】
ステップ２２２では、「非常時給電中」の表示がＨＥＭＳ１２によって停止されて一連の復旧処理を終了する。
【０１５１】
このように、本実施形態に係る給電システムでは、外部電源接続器２１と外部電源１９とがケーブル３５によって接続され、かつ切替開閉盤２４が正常であることが検出された場合に、放電を開始するようにＨＥＭＳ１２が外部電源１９を制御し、かつ切替開閉盤２４のスイッチ部３２を外部電源１９側に切り替えるようにスイッチ部３２をＨＥＭＳ１２が制御するので、外部電源１９から住宅への給電を確実に実施可能にすることができる。
【０１５２】
なお、上記の各実施形態では、停電が検出された場合に、ケーブル３４、３５の接続検出結果やスイッチ部３２の状態検出結果に基づいて、外部電源へ切り替える予め定めた手順を順次切り替えてＨＥＭＳ１２に表示するようにしたが、これに限るものではなく、例えば、外部電源への切替手順をＨＥＭＳ１２に一括表示するようにしてもよい。
【０１５３】
また、上記の各実施形態では、外部電源接続器２０、２１と外部電源１８、１９とをケーブル３４、３５によって接続する例を示したが、これに限るものではなく、例えば、電磁誘導等の技術を利用して非接触で電気的に接続する接続手段を適用するようにしてもよい。この場合には、例えば、近接センサ等を外部電源接続器２０、２１等に設けて、外部電源１８、１９の接近等を検出することにより、外部電源接続器２０、２１と外部電源１８、１９との接続を検出することが可能である。
【０１５４】
また、第１実施形態の外部電源接続器２０は、第３実施形態に適用して外部電源１９に放電許可信号を出力する代わりに、外部電源接続機器２に放電許可信号を出力して通電スイッチ２０Ａを制御する形態としてもよい。
【０１５５】
また、上記の実施形態におけるＨＥＭＳ１２の各処理は、プログラムとして記憶媒体に記憶して流通可能なようにしてもよいし、ハードウエアで行われる処理としてもよい。
【符号の説明】
【０１５６】
１０    給電システム
１２    ＨＥＭＳ
１４    系統電源
１６    分電盤
１８、１９    外部電源
２０、２１    外部電源接続器
２０Ａ    通電スイッチ
２４    切替開閉盤
２６    停電検出器
３０    漏電ブレーカー
３２    スイッチ部
３５    ケーブル
３６    検知部
３８    コネクタ回路
【図１】
2015136206.tif 000003
【図２】
2015136206.tif 000004
【図３】
2015136206.tif 000005
【図４】
2015136206.tif 000006
【図５】
2015136206.tif 000007
【図６】
2015136206.tif 000008
【図７】
2015136206.tif 000009
【図８】
2015136206.tif 000010
【図９】
2015136206.tif 000011
【図１０】
2015136206.tif 000012